(57)【要約】【課題】空気中の水分の酸化還元電位を制御することができる酸化還元電位制御システム、環境管理システム、エアコンディショナー、空気清浄機、酸化還元電位制御方法、環境管理方法、エアコンディショニング方法、および空気清浄方法を提供することを目的とする。【解決手段】本発明に係る酸化還元電位制御システム１は、空気中の水分の酸化還元電位を制御する酸化還元電位制御システム１であって、空気中の水分の酸化還元電位を測定する測定部３０と、測定部３０により測定された酸化還元電位に基づいて水分の酸化還元電位を所定値に制御する制御部４４と、を有する。【選択図】図１
2020199138.tif 000002
【特許請求の範囲】
【請求項１】
空気中の水分の酸化還元電位を制御する酸化還元電位制御システムであって、
前記空気中の水分の酸化還元電位を測定する測定部と、
前記測定部により測定された酸化還元電位に基づいて前記水分の酸化還元電位を所定値に制御する制御部と、
を有することを特徴とする酸化還元電位制御システム。
【請求項２】
空気中の水分の酸化還元電位を制御する酸化還元電位制御システムであって、
前記空気中の水分を回収する水回収部と、
前記水回収部により前記空気から回収された水分の酸化還元電位を測定する測定部と、
前記測定部により測定された酸化還元電位に基づいて前記水分の酸化還元電位を所定値に制御する制御部と、
を有することを特徴とする酸化還元電位制御システム。
【請求項３】
空気中の水分の酸化還元電位を制御する酸化還元電位制御システムであって、
前記酸化還元電位の目標値を所定に設定する設定部と、
前記空気中の水分を除湿して回収する水回収部と、
前記水回収部により回収された水分の酸化還元電位が所定値となるように電気分解を行う電気分解部と、
前記電気分解部により電気分解された水分の酸化還元電位を測定する測定部と、
前記測定部により測定された酸化還元電位と前記設定部により設定された酸化還元電位の目標値との差を演算する電位差演算部と、
前記電位差演算部により演算された酸化還元電位の目標値との差に対応させて前記電気分解の通電量を増減させ前記測定部により測定された酸化還元電位が前記設定部により設定された酸化還元電位の目標値となるように制御する制御部と、
前記制御部により酸化還元電位を目標値に制御された水分を空気中に放出し前記空気の加湿を行う水放出部と、を有することを特徴とする酸化還元電位制御システム。
【請求項４】
前記水回収部および前記水放出部は、冷媒と、前記冷媒の減圧および加圧を行うコンプレッサと、を有し、
前記水回収部は、前記コンプレッサにより前記冷媒を減圧して液体から気体に変化させて気化熱により前記空気を冷却し前記空気から水分を除湿し、
前記水放出部は、前記コンプレッサにより前記冷媒を加圧して気体から液体に変化させて蒸発熱により前記水分を加熱し前記空気中に蒸発させて放出することを特徴とする請求項３に記載の酸化還元電位制御システム。
【請求項５】
前記酸化還元電位の目標値をマイナス２００ｍＶ以上とすることを特徴とする請求項３または請求項４に記載の酸化還元電位制御システム。
【請求項６】
前記酸化還元電位の目標値を０ｍＶからプラス２００ｍＶとすることを特徴とする請求項３乃至請求項５のいずれか一項に記載の酸化還元電位制御システム。
【請求項７】
前記酸化還元電位の目標値を０ｍＶからプラス１００ｍＶとすることを特徴とする請求項３乃至請求項６のいずれか一項に記載の酸化還元電位制御システム。
【請求項８】
前記酸化還元電位の目標値をプラス１００ｍＶからプラス２００ｍＶとすることを特徴とする請求項３乃至請求項６のいずれか一項に記載の酸化還元電位制御システム。
【請求項９】
請求項１乃至請求項８のいずれか一項に記載の酸化還元電位制御システムを用いて住宅、医療機関、高齢者施設、ホテル、工場、農場、牧場、および物流のうち少なくともいずれかの環境における空気中の水分の酸化還元電位を管理することを特徴とする環境管理システム。
【請求項１０】
請求項１乃至請求項８のいずれか一項に記載の酸化還元電位制御システムを用いて空気の加熱および／または冷却を行うことを特徴とするエアコンディショナー。
【請求項１１】
請求項１乃至請求項８のいずれか一項に記載の酸化還元電位制御システムを用いて空気の清浄を行うことを特徴とする空気清浄機。
【請求項１２】
空気中の水分の酸化還元電位を制御する酸化還元電位制御方法であって、
前記空気中の水分の酸化還元電位を測定する測定ステップと、
前記測定部により測定された酸化還元電位に基づいて前記水分の酸化還元電位を所定値に制御する制御ステップと、
を有することを特徴とする酸化還元電位制御方法。
【請求項１３】
空気中の水分の酸化還元電位を制御する酸化還元電位制御方法であって、
前記空気中の水分を回収する水回収ステップと、
前記水回収ステップにより前記空気から回収された水分の酸化還元電位を測定する測定ステップと、
前記測定ステップにより測定された酸化還元電位に基づいて前記水分の酸化還元電位を所定値に制御する制御ステップと、
を有することを特徴とする酸化還元電位制御方法。
【請求項１４】
空気中の水分の酸化還元電位を制御する酸化還元電位制御方法であって、
前記酸化還元電位の目標値を所定に設定する設定ステップと、
前記空気中の水分を除湿して回収する水回収ステップと、
前記水回収ステップにより回収された水分の酸化還元電位が所定値となるように電気分解を行う電気分解ステップと、
前記電気分解ステップにより電気分解された水分の酸化還元電位を測定する測定ステップと、
前記測定ステップにより測定された酸化還元電位と前記設定ステップにより設定された酸化還元電位の目標値との差を演算する電位差演算ステップと、
前記電位差演算ステップにより演算された酸化還元電位の目標値との差に対応させて前記電気分解の通電量を増減させ前記測定ステップにより測定された酸化還元電位が前記設定ステップにより設定された酸化還元電位の目標値となるように制御する制御ステップと、
前記制御ステップにより酸化還元電位を目標値に制御された水分を空気中に蒸発させて放出し前記空気の加湿を行う水放出ステップと、を有することを特徴とする酸化還元電位制御方法。
【請求項１５】
請求項１２乃至請求項１４のいずれか一項に記載の酸化還元電位制御方法を用いて住宅、医療機関、高齢者施設、ホテル、工場、農場、牧場、および物流のうち少なくともいずれかの環境における空気中の水分の酸化還元電位を管理することを特徴とする環境管理方法。
【請求項１６】
請求項１２乃至請求項１４のいずれか一項に記載の酸化還元電位制御方法を用いて空気の加熱および／または冷却を行うことを特徴とするエアコンディショニング方法。
【請求項１７】
請求項１２乃至請求項１４のいずれか一項に記載の酸化還元電位制御方法を用いて空気の清浄を行うことを特徴とする空気清浄方法。
【発明の詳細な説明】
【技術分野】
【０００１】
本発明は、酸化還元電位制御システム、環境管理システム、エアコンディショナー、空気清浄機、酸化還元電位制御方法、環境管理方法、エアコンディショニング方法、および空気清浄方法に関し、特に空気中の水分の酸化還元電位を制御する酸化還元電位制御システム、環境管理システム、エアコンディショナー、空気清浄機、酸化還元電位制御方法、環境管理方法、エアコンディショニング方法、および空気清浄方法に関する。
【背景技術】
【０００２】
従来から空気中の環境測定項目として温度や湿度があり、これら温度や湿度をコントロールする技術が各種開発されている。例えば、特許文献１には、温度をコントロールする技術が、特許文献２には、湿度をコントロールする技術が、それぞれ開示されている。
【先行技術文献】
【特許文献】
【０００３】
【特許文献１】特開平１０−２２０８６２号公報
【特許文献２】特開２０１８−１０８３８０号公報
【発明の概要】
【発明が解決しようとする課題】
【０００４】
昨今は、空気中の環境測定項目の第３のファクターとして酸化還元電位を制御し管理することが強く要望されている。
【０００５】
本願発明は上記事情に鑑みてなされたものであり、空気中の水分の酸化還元電位を制御することができる酸化還元電位制御システム、環境管理システム、エアコンディショナー、空気清浄機、酸化還元電位制御方法、環境管理方法、エアコンディショニング方法、および空気清浄方法を提供することを目的とする。
【課題を解決するための手段】
【０００６】
上記目的を達成するために、本発明に係る酸化還元電位制御システムは、空気中の水分の酸化還元電位を制御する酸化還元電位制御システムであって、前記空気中の水分の酸化還元電位を測定する測定部と、前記測定部により測定された酸化還元電位に基づいて前記水分の酸化還元電位を所定値に制御する制御部と、を有することを特徴とする。
【０００７】
上記目的を達成するために、本発明に係る酸化還元電位制御システムは、空気中の水分の酸化還元電位を制御する酸化還元電位制御システムであって、前記空気中の水分を回収する水回収部と、前記水回収部により前記空気から回収された水分の酸化還元電位を測定する測定部と、前記測定部により測定された酸化還元電位に基づいて前記水分の酸化還元電位を所定値に制御する制御部と、を有することを特徴とする。
【０００８】
上記目的を達成するために、本発明に係る酸化還元電位制御システムは、空気中の水分の酸化還元電位を制御する酸化還元電位制御システムであって、前記酸化還元電位の目標値を所定に設定する設定部と、前記空気中の水分を除湿して回収する水回収部と、前記水回収部により回収された水分の酸化還元電位が所定値となるように電気分解を行う電気分解部と、前記電気分解部により電気分解された水分の酸化還元電位を測定する測定部と、前記測定部により測定された酸化還元電位と前記設定部により設定された酸化還元電位の目標値との差を演算する電位差演算部と、前記電位差演算部により演算された酸化還元電位の目標値との差に対応させて前記電気分解の通電量を前記測定部により測定された酸化還元電位が前記設定部により設定された酸化還元電位の目標値となるように制御する制御部と、前記制御部により酸化還元電位を目標値に制御された水分を空気中に蒸発させて放出し前記空気の加湿を行う水放出部と、を有することを特徴とする。
【０００９】
これらの発明によれば、上記の構成により、空気中の水分酸化還元電位を制御することができる。
【００１０】
前記水回収部および前記水放出部は、冷媒と、前記冷媒の減圧および加圧を行うコンプレッサと、を有し、前記水回収部は、前記コンプレッサにより前記冷媒を減圧して液体から気体に変化させて気化熱により前記空気を冷却し前記空気から水分を除湿し、前記水放出部は、前記コンプレッサにより前記冷媒を加圧して気体から液体に変化させ前記水分を加熱し前記空気中に蒸発させて放出することができる。
【００１１】
前記酸化還元電位の目標値をマイナス２００ｍＶ以上とすることとすれば、各種の分野に対し快適な環境を提供することができる。
【００１２】
より詳しくは、前記酸化還元電位の目標値を０ｍＶからプラス２００ｍＶとすることが好ましい。
【００１３】
すなわち、前記酸化還元電位の目標値を０ｍＶからプラス１００ｍＶとすることとすれば、病原菌からのリスクを激減させる農作物のハウス栽培が可能となる。
【００１４】
前記酸化還元電位の目標値をプラス１００ｍＶからプラス２００ｍＶとすることとすれば、微生物の活性力は落ち、人間は快適となる。すなわち、プラス電位が高いほど酸化力は大きく、低いほど還元力が大きくなる。酸化とは生物的には老化と同一である。これが金属であれば酸化とは錆びである。還元力を高めることで人間の老化や金属類の錆びも抑制することができる。
【００１５】
上記目的を達成するために、本発明に係る環境管理システムは、請求項１乃至請求項５に記載の酸化還元電位制御システムを用いて住宅、医療機関、高齢者施設、ホテル、工場、農場、牧場、および物流のうち少なくともいずれかの環境における空気中の水分の酸化還元電位を管理することを特徴とする。
【００１６】
上記目的を達成するために、本発明に係るエアコンディショナーは、請求項１乃至請求項８のいずれか一項に記載の酸化還元電位制御システムを用いて空気の加熱および／または冷却を行うことを特徴とする。
【００１７】
上記目的を達成するために、本発明に係る空気清浄機は、請求項１乃至請求項８のいずれか一項に記載の酸化還元電位制御システムを用いて空気の清浄を行うことを特徴とする。
【００１８】
上記目的を達成するために、本発明に係る酸化還元電位制御方法は、空気中の水分の酸化還元電位を制御する酸化還元電位制御方法であって、前記空気中の水分の酸化還元電位を測定する測定ステップと、前記測定部により測定された酸化還元電位に基づいて前記水分の酸化還元電位を所定値に制御する制御ステップと、を有することを特徴とする。
【００１９】
上記目的を達成するために、本発明に係る酸化還元電位制御方法は、空気中の水分の酸化還元電位を制御する酸化還元電位制御方法であって、前記空気中の水分を回収する水回収ステップと、前記水回収ステップにより前記空気から回収された水分の酸化還元電位を測定する測定ステップと、前記測定ステップにより測定された酸化還元電位に基づいて前記水分の酸化還元電位を所定値に制御する制御ステップと、を有することを特徴とする。
【００２０】
上記目的を達成するために、本発明に係る酸化還元電位制御方法は、空気中の水分の酸化還元電位を制御する酸化還元電位制御方法であって、前記酸化還元電位の目標値を所定に設定する設定ステップと、前記空気中の水分を回収する水回収ステップと、前記水回収ステップにより回収された水分の酸化還元電位が所定値となるように電気分解を行う電気分解ステップと、前記電気分解ステップにより電気分解された水分の酸化還元電位を測定する測定ステップと、前記測定ステップにより測定された酸化還元電位と前記設定ステップにより設定された酸化還元電位の目標値との差を演算する電位差演算ステップと、前記電位差演算ステップにより演算された酸化還元電位の目標値との差に対応させて前記電気分解の通電量を増減させ前記測定ステップにより測定された酸化還元電位が前記設定ステップにより設定された酸化還元電位の目標値となるように制御する制御ステップと、前記制御ステップにより酸化還元電位を目標値に制御された水分を空気中に蒸発させて放出し前記空気の加湿を行う水放出ステップと、を有することを特徴とする。
【００２１】
上記目的を達成するために、本発明に係る環境管理方法は、請求項１２乃至請求項１４のいずれか一項に記載の酸化還元電位制御方法を用いて住宅、医療機関、高齢者施設、ホテル、工場、農場、牧場、および物流のうち少なくともいずれかの環境における空気中の水分の酸化還元電位を管理することを特徴とする。
【００２２】
上記目的を達成するために、本発明に係るエアコンディショニング方法は、請求項１２乃至請求項１４のいずれか一項に記載の酸化還元電位制御方法を用いてエアコンディショニングを行うことを特徴とする。
【００２３】
上記目的を達成するために、本発明に係る空気清浄方法は、請求項１２乃至請求項１４のいずれか一項に記載の酸化還元電位制御方法を用いて空気の清浄を行うことを特徴とする。
【発明の効果】
【００２４】
本発明によれば、空気中の水分の酸化還元電位を制御することができる。
【図面の簡単な説明】
【００２５】
【図１】本発明の実施形態に係る酸化還元電位制御システムの全体構成を示す図である。
【図２】同酸化還元電位制御システムの電気分解部の構成を示す図である。
【図３】同酸素還元電位制御システムの演算装置の構成を示すブロック図である。
【図４】同酸素還元電位制御システムの演算装置の構成を示す別のブロック図である。
【図５】同酸素還元電位制御システムにおける酸化還元電位制御方法を説明するためのフローチャートである。
【発明を実施するための形態】
【００２６】
以下、本発明の実施形態に係る酸化還元電位制御システムおよび酸化還元電位制御方法ついて図面を参照して詳細に説明する。図１は、本発明の実施形態に係る酸化還元電位制御システムの全体構成を示す図、図２は、同酸化還元電位制御システムの電気分解部の構成を示す図、図３は、同酸化還元電位制御システムの演算装置の構成を示すブロック図、図４は、同酸化還元電位制御システムの演算装置の構成を示す別のブロック図である。
【００２７】
図１を参照して本発明の実施形態に係る酸化還元電位制御システム１の概要を説明すると、酸化還元電位制御システム１は、空気中の水分の酸化還元電位を制御することができる。
【００２８】
酸化還元電位制御システム１は、水回収部１０、電気分解部２０、測定部３０、演算部４０、および水放出部５０を有している。酸化還元電位制御システム１は、水回収部１０、電気分解部２０、測定部３０、演算部４０、および水放出部５０が相互に別体として機能し、シーケンシャルに連動しながら空気中の水分の酸化還元電位を制御することができる（なお、酸化還元電位制御システム１は、水回収部１０、電気分解部２０、測定部３０、演算部４０、および水放出部５０を一体の装置として構成することとしてもよい）。
【００２９】
水回収部１０は、空気中の水分を除湿して回収することができる。
【００３０】
電気分解部２０は、電気分解槽２１、電源２２、陽極２３、および陰極２４を有しており、水の電気分解を行うことができる。
【００３１】
すなわち、電気分解部２０は、水回収部１０により回収された水分を電気分解槽２１に満たすことができる。そして、前記回収された水に陽極２３と陰極２４を浸漬しつつ電源２２を介して陽極２３と陰極２４に通電し水回収部１０により回収された水分の電気分解を行うことができる。この電気分解は、水分の酸化還元電位が所定値となるように行う。
【００３２】
測定部３０は、電気分解部２０により電気分解された水分の酸化還元電位を連続的にリアルタイムに測定することができる。測定部３０は、酸化還元電位計とすることができ、所定のセンサー部（感知部）を有する。すなわち、センサー部を電気分解槽２１における電気分解された水分に浸漬させて酸化還元電位を連続的にリアルタイムに測定することができる。測定部４０は、出力インターフェースを介して測定データを演算部４０に送信することができる。
【００３３】
演算部４０は、コンピュータとしての一般的な構成を備えており、相互にバス４０ａを介して接続された中央処理装置（ＣＰＵ）４０ｂ、記憶装置（メモリ、ハードディスク）４０ｃ、入力装置（キーボード、マウス、タッチパネル）４０ｄ、表示装置（ＣＲＴ、液晶ディスプレー）４０ｅ等を有している。演算装置４０は、記憶部４１、設定部４２、電位差演算部４３、および制御部４４の各機能部を有している。
【００３４】
記憶部４１は、酸化還元電位の目標値を記憶することができる。ここで、酸化還元電位の目標値は、マイナス２００ｍＶ以上とすることができる。
【００３５】
より詳しくは、酸化還元電位の目標値は、０ｍＶからプラス２００ｍＶとすることができる。
【００３６】
更に詳しくは、酸化還元電位の目標値は、０ｍＶからプラス１００ｍＶ若しくはプラス１００ｍＶからプラス２００ｍＶとすることができる。
【００３７】
すなわち、空気中の水分の酸化還元電位を制御する目的は多岐に渡り、大きなメリットがある。例えば、人間に快適な電位は胎盤の羊水の電位と共通しプラス１００ｍＶからプラス２００ｍＶ、細菌やウィルスはプラス３００ｍＶからプラス４００ｍＶ、植物は０ｍＶからプラス１００ｍＶである。目的に応じて電位を制御することで、人間、微生物、植物の快適な住み分けも可能となる。現在の空気中の水分の酸化還元電位は、プラス３００ｍＶからプラス４００ｍＶで微生物に適した電位のケースが多い。
【００３８】
つまり、酸化還元電位の目標値を０ｍＶからプラス２００ｍＶとすることで、病原菌からのリスクを激減させる農作物のハウス栽培が可能となる。
【００３９】
また、酸化還元電位の目標値をプラス１００ｍＶからプラス２００ｍＶとすることで、微生物の活性力は落ち、人間は快適となる。
【００４０】
プラス電位が高いほど酸化力は大きく、低いほど還元力が大きくなる。酸化とは生物的には老化と同一である。これが金属であれば酸化とは錆びである。還元力を高めることで人間の老化や金属類の錆びも抑制することができる。
【００４１】
設定部４２は、記憶部４１に記憶された酸化還元電位の目標値を所定に設定することができる。
【００４２】
電位差演算部４３は、測定部３０により測定された酸化還元電位と設定部４２により設定された酸化還元電位の目標値との差を演算することができる。なお、電位差演算部４３は、入力インターフェースを介して測定データを測定部３０から入力することができる。
【００４３】
制御部４４は、電位差演算部４３により演算された酸化還元電位の目標値との差に対応させて陽極２３と陰極２４の通電量を増減させ測定部３０により測定された酸化還元電位が設定部４２により設定された酸化還元電位の目標値となるように制御することができる。
【００４４】
水放出部５０は、制御部４４により酸化還元電位を目標値に制御された水分を空気中に蒸発させて放出し空気の加湿を行うことができる。
【００４５】
ここで、水回収部１０および水放出部５０は、冷媒６０と、冷媒６０の減圧および加圧を行うコンプレッサ７０と、を有している。
【００４６】
すなわち、水回収部１０は、コンプレッサ７０により冷媒６０を減圧して液体から気体に変化させて気化熱により空気を冷却し空気から水分を除湿することができる。
【００４７】
水放出部５０は、コンプレッサ７０により冷媒６０を加圧して気体から液体に変化させて蒸発熱により水分を加熱し空気中に蒸発させて放出することができる。
【００４８】
以上のように構成された酸化還元電位制御システム１による制御方法を図５のフローチャートに基づいて説明する。
【００４９】
すなわち、まずステップＳ１０において、設定部３２により、記憶部３１に記憶された酸化還元電位の目標値を所定に設定する（設定ステップ）。
【００５０】
次に、ステップＳ２０において、水回収部１０により、空気中の水分を除湿して回収する（水回収ステップ）。
【００５１】
次いで、ステップ３０において、電気分解部２０により、ステップＳ２０により回収された水分の酸化還元電位が所定値となるように電気分解を行う（電気分解ステップ）。
【００５２】
続いて、ステップＳ４０において、測定部３０により、ステップＳ３０により電気分解された水分の酸化還元電位を連続的にリアルタイムに測定する（測定ステップ）。
【００５３】
そして、ステップＳ５０において、電位差演算部４３により、ステップＳ４０により測定された酸化還元電位とステップＳ１０により設定された酸化還元電位の目標値との差を演算する（電位差演算ステップ）。
【００５４】
次に、ステップＳ６０において、制御部４４により、ステップＳ５０により演算された酸化還元電位の目標値との差に対応させて陽極２３と陰極２４の通電量を増減させステップＳ４０により測定された酸化還元電位がステップＳ１０により設定された酸化還元電位の目標値となるように制御する（制御ステップ）。
【００５５】
次いで、ステップＳ７０において、水放出部５０により、ステップＳ６０により酸化還元電位を目標値に制御された水分を空気中に蒸発させて放出し空気の加湿を行う（水放出ステップ）。
【００５６】
以上説明したように、本発明の酸化還元電位制御システムおよび酸化還元電位制御方法によれば、測定部３０（測定ステップ）と、制御部４４（制御ステップ）と、を有することとしたので、より詳しくは、水回収部１０（水回収ステップ）と、測定部３０（測定ステップ）と、制御部４４（制御ステップ）と、を有することとしたので、更に詳しくは、水回収部１０（水回収ステップ）と、電気分解部２０（電気分解ステップ）と、測定部３０（測定ステップ）と、設定部４２（設定ステップ）と、電位差演算部４３（電位差演算ステップ）と、制御部４４（制御ステップ）と、水放出部５０（水放出ステップ）と、を有することとしたので、空気中の水分の酸化還元電位を制御することができる。
【００５７】
また、酸化還元電位の目標値をマイナス２００ｍＶ以上とすることとしたので、各種の分野に対し快適な環境を提供することができる。
【００５８】
なお、本発明は上述した実施形態に限定されることなく種々の変形実施および応用実施が可能であることは勿論である。
【００５９】
すなわち、上記酸化還元電位制御システムまたは酸化還元電位制御方法を用いた住宅、医療機関、高齢者施設、ホテル、工場、農場（農作物の栽培）、牧場、および物流（食品の物流）のうち少なくともいずれかの環境における空気中の水分の酸化還元電位を管理する環境管理システムまたは環境管理方法を提供することとしてもよい。
【００６０】
また、上述した酸化還元電位制御システムまたは酸化還元電位制御方法を用いた空気の加熱および／または冷却を行うエアコンディショナーまたはエアコンディショニング方法を提供することとしてもよい。
【００６１】
更に、上述した酸化還元電位制御システムまたは酸化還元電位制御方法を用いた空気の清浄を行う空気清浄機または空気清浄方法を提供することとしてもよい。
【００６２】
このように本発明の酸化還元電位制御システムおよび酸化還元電位制御方法を各種の分野に応用することで生活環境を飛躍的に改善させることができ各種の業界の発展に大きく貢献することができる。
【符号の説明】
【００６３】
１：酸化還元電位制御システム
１０：水回収部
２０：電気分解部
２１：電気分解槽
２２：電源
２３：陽極
２４：陰極
３０：測定部
４０：演算部
４０ａ：バス
４０ｂ：中央処理装置
４０ｃ：記憶装置
４０ｄ：入力装置
４０ｅ：表示装置
４１：記憶部
４２：設定部
４３：電位差演算部
４４：制御部
５０：水放出部
６０：冷媒
７０：コンプレッサ
【図１】
2020199138.tif 000003
【図２】
2020199138.tif 000004
【図３】
2020199138.tif 000005
【図４】
2020199138.tif 000006
【図５】
2020199138.tif 000007